(57)【要約】  ユーザ物品の基調色への適合色を選択するための組立体２。組立体は、相互に異なる選択色を有する複数の選択領域５を設けた基板４を含む。組立体は、第１の基調色を設けた第１の主表面８及び第２の主表面９を有するカバー６をさらに含む。カバーには窓１０を設ける。組立体には、窓によって少なくとも１つの選択領域が露出される第１のカバー位置において、カバーを基板に対して保持するための保持手段１２を設ける。第２の主表面には第２の基調色を設ける。窓及び保持手段は、窓によって少なくとも１つの選択領域が露出される第２のカバー位置において、カバーを基板に対して保持するように構成される。
2015518573.tif 000002
【特許請求の範囲】
【請求項１】
ユーザ物品、例えば衣服物品及び／又は家具物品の基調色への適合色を選択するための組立体であって、
前記組立体は、前記適合色を含む相互に異なる選択色を有する複数の選択領域を設けた基板を含み、
前記組立体は、第１の基調色を設けた第１の主表面を有し、且つ、前記第１の主表面の反対側に第２の主表面を有するカバーをさらに含み、
前記カバーには、窓がさらに設けられ、
前記組立体には、前記カバーを前記基板に対して保持するための保持手段が設けられ、
前記窓及び前記保持手段は、前記窓によって、所定の適合方法に基づき前記第１の基調色に適合する適合色を有する少なくとも１つの選択領域が露出される第１のカバー位置において、前記カバーを前記基板に対して保持するように構成され、
前記第２の主表面には、第２の基調色が設けられ、前記窓及び前記保持手段は、前記窓によって、所定の適合方法に基づき前記第２の基調色に適合する適合色を有する少なくとも１つの選択領域が露出される第２のカバー位置において、前記カバーを前記基板に対して保持するように構成され、
前記カバーが前記第１のカバー位置にあるとき、前記第１の主表面が前記組立体のユーザに見えるように前記第１の主表面は前記基板に背を向けており、前記カバーが前記第２のカバー位置にあるとき、前記第２の主表面が前記組立体のユーザに見えるように前記第２の主表面は前記基板に背を向けている、組立体。
【請求項２】
前記カバーは、前記第１の主表面及び前記第２の主表面を有するカードとして形成する、請求項１に記載の組立体。
【請求項３】
前記カバーは、前記カバーの中心、例えば中心軸又は中心点を規定し、
前記窓の少なくとも一部は前記中心に関して非対称に位置し、そのため、前記カバーが前記第１のカバー位置にあるとき、前記カバーが前記第２のカバー位置にあるときに露出していない少なくとも１つの選択領域が露出される、請求項１又は２に記載の組立体。
【請求項４】
前記カバーは、前記カバーの中心、例えば中心軸又は中心点を規定し、
前記窓は前記中心に関して非対称に位置し、そのため、前記カバーが前記第１のカバー位置にあるとき、前記カバーが前記第２のカバー位置にあるときに露出されるそれぞれの選択領域は覆われている、請求項１から３までのいずれか一項に記載の組立体。
【請求項５】
前記カバーは、前記カバーの中心、例えば中心軸又は中心点を規定し、
前記窓の一部は前記中心に関して実質的に対称に位置し、そのため、前記カバーが前記第１のカバー位置にあるとき、前記カバーが前記第２のカバー位置にあるときにも露出される少なくとも１つの選択領域が露出される、請求項１から３のいずれか一項に記載の組立体。
【請求項６】
前記窓は、相互に間隔を空けた複数の窓部分、好ましくは少なくとも６つの窓部分を含む、請求項１から５までのいずれか一項に記載の組立体。
【請求項７】
前記基板には、前記保持手段が設けられる、請求項１から６までのいずれか一項に記載の組立体。
【請求項８】
前記保持手段は、前記カバーを、前記第１の主表面が前記基板に背を向けている前記第１のカバー位置に向けて案内するため、及び、前記カバーを、前記第２の主表面が前記基板に背を向けている前記第２のカバー位置に向けて案内するためのガイドを含む、請求項１から７までのいずれか一項に記載の組立体。
【請求項９】
前記基板は、前記ガイドを形成する溝を設けた辺縁部を含む、請求項８に記載の組立体。
【請求項１０】
前記基板には、前記選択色及び前記選択領域を覆う保護コーティングが設けられる、請求項１から９までのいずれか一項に記載の組立体。
【請求項１１】
前記基板は、前記１つ又は複数のカバーを保管するための保管室と組み合わせた、請求項１から１０までのいずれか一項に記載の組立体。
【請求項１２】
請求項１から１１までのいずれか一項に記載の組立体の前記カバーを組み込んで且つ／又は前記基板を組み込んで設けたユーザ物品、例えば衣服物品及び／又は家具物品。
【請求項１３】
請求項１から１１までのいずれか一項に記載の組立体の前記カバー及び／又は前記基板を設けた携帯電話。
【請求項１４】
ユーザ物品、例えば衣服物品及び／又は家具物品の基調色への適合色を選択する方法であって、
−  前記適合色を含む相互に異なる選択色を有する複数の選択領域を設けた基板を設けるステップと、
−  第１のユーザ物品の、第１の基調色を設けた第１の主表面を有し、且つ、前記第１の主表面の反対側に、第２の主表面を有するカバーであって、さらに窓を設けた前記カバーを設けるステップと、
−  前記窓によって、所定の適合方法に基づき前記第１の基調色に適合する適合色を有する少なくとも１つの選択領域が露出される第１のカバー位置において前記カバーを前記基板に対して保持するステップであって、前記カバーが前記第１のカバー位置にあるとき、前記第１の主表面が前記組立体のユーザに見えるように前記第１の主表面が前記基板に背を向けている、ステップと、
−  前記窓によって、所定の適合方法に基づき第２のユーザ物品の第２の基調色に適合する適合色を有する少なくとも１つの選択領域が露出される第２のカバー位置において前記カバーを前記基板に対して保持するステップであって、前記第２の主表面には前記第２の基調色を設け、前記カバーが前記第２のカバー位置にあるとき、前記第２の主表面が前記組立体のユーザに見えるように前記第２の主表面が前記基板に背を向けている、ステップと、を含む方法。
【請求項１５】
−  前記第１のユーザ物品を、前記所定の適合方法に基づき前記第１の基調色に適合する選択した適合色を有するさらなるユーザ物品に組み合わせるステップ、及び／又は、
−  前記第２のユーザ物品を、前記所定の適合方法に基づき前記第２の基調色に適合する選択した適合色を有するさらなるユーザ物品に組み合わせるステップ、をさらに含む、請求項１４に記載の方法。
【請求項１６】
請求項１から１１までのいずれか一項に記載の組立体によって実行する請求項１４又は１５に記載の方法。
【発明の詳細な説明】
【技術分野】
【０００１】
本発明は、ユーザ物品、例えば衣服物品及び／又は家具物品の基調色への適合色を選択するための組立体に関し、組立体は、適合色を含む相互に異なる選択色を有する複数の選択領域を設けた基板を含み、組立体は、第１の基調色を設けた第１の主表面を有し、且つ、第１の主表面の反対側に第２の主表面を有するカバーをさらに含み、このカバーには、窓がさらに設けられ、組立体には、カバーを基板に対して保持するための保持手段が設けられ、窓及び保持手段は、窓によって、所定の適合方法に基づき第１の基調色に適合する適合色を有する少なくとも１つの選択領域が露出される第１のカバー位置においてカバーを基板に対して保持するように構成される。本発明は、ユーザ物品、例えば衣服物品及び／又は家具物品にさらに関する。本発明は、携帯電話にさらに関する。本発明は、ユーザ物品、例えば衣服物品及び／又は家具物品の基調色への適合色を選択する方法にも関する。
【背景技術】
【０００２】
店舗内の衣服物品などのユーザ物品の見込みのある購入者は、通常、様々な選択を行う。例えば、衣服物品の種類及びサイズとは別に、選択は衣服物品の色に関して行われる。衣服物品は、例えば、様々な配色（ｃｏｌｏｕｒ  ｓｃｈｅｍｅ）又は１つだけの配色で入手可能である場合がある。１つの配色は１つの色のみを含むことが可能であり、又は、複数の様々な色を含んでもよい。どちらの場合も、特定の色に対する選択を決定する主な要因は、その色が他の色、例えば他の衣服物品の色に適合するか否かである。経験によれば、比較的少数の人しか真に上手に様々な色を組み合わせることができない。しかし、ユーザが衣服物品の色を選択するのを支援するための適合方法は、便利な形ではユーザに利用可能ではなかった。
【０００３】
特許明細書ＧＢ１１５３４４１は、マスクと、色サンプルを設けたディスプレーと、を有するデバイスを示す。このＧＢ１１５３４４１のデバイスは、特定の種類の塗料の利用可能な色を表示するために使用可能である。この特定の種類の塗料に対するマスクを設ける。見込みのある購入者が２つの異なった種類の塗料を適合させることを望んだ場合、この購入者は双方の種類の塗料に対して利用可能な複数のカバーを重ね合わせて、双方の種類の塗料に対してどの色が利用可能であるかを見ることが可能となる。従って、１つの種類の塗料が利用可能な色が、他の種類の塗料が利用可能な色に適合するか否かが決定可能となる。
【先行技術文献】
【特許文献】
【０００４】
【特許文献１】ＧＢ１１５３４４１
【発明の概要】
【発明が解決しようとする課題】
【０００５】
しかし、ＧＢ１１５３４４１のデバイスを使用することによって２つの異なった種類の塗料を適合させる時は、同色である故に適合する２つの色を選択する際にのみユーザを支援可能となっている。そのため、ＧＢ１１５３４４１のデバイスが可能にする適合方法には、同じ色の選択にのみ基づくことが可能となっている。このような適合方法を衣服物品又は他の物品に適用することは、購入者を、同じ色を有する物品の組み合わせにのみ導くことになる。従って、ＧＢ１１５３４４１は、適合色を選択する１つの特定の方法を可能にしているに過ぎない。さらに、適合色を選択する際に、ＧＢ１１５３４４１のデバイスを使用すると、重ね合わせた２つのマスクが必要となる。
【課題を解決するための手段】
【０００６】
本発明の目的は、ユーザが所定の適合方法に基づいて基調色への適合色を選択することを可能にする改良した組立体及び方法を提供することである。
【０００７】
本発明の一態様によれば、好ましくはユーザ物品、例えば衣服物品及び／又は家具物品の基調色への適合色を選択するための組立体を提供し、組立体は、適合色を含む相互に異なる選択色を有する複数の選択領域を設けた基板を含み、組立体は、第１の基調色を設けた第１の主表面を有し、且つ、第１の主表面の反対側に第２の主表面を有するカバーをさらに含み、このカバーには窓がさらに設けられ、組立体には、カバーを基板に対して保持するための保持手段が設けられ、窓及び保持手段は、窓によって、所定の適合方法に基づき第１の基調色に適合する適合色を有する少なくとも１つの選択領域が、好ましくは選択的に露出される第１のカバー位置においてカバーを基板に対して保持するように構成され、第２の主表面には、第２の基調色が設けられ、窓及び保持手段は、窓によって、所定の適合方法に基づき第２の基調色に適合する適合色を有する少なくとも１つの選択領域が、好ましくは選択的に露出される第２のカバー位置においてカバーを基板に対して保持するように構成され、カバーが第１のカバー位置にあるとき、第１の主表面が組立体のユーザに見えるように第１の主表面は基板に背を向け、カバーが第２のカバー位置にあるとき、第２の主表面が組立体のユーザに見えるように第２の主表面は基板に背を向けている。
【０００８】
従って、２つの異なったカバー位置で使用可能なカバーを含む組立体が提供可能となる。第１のカバー位置において、第１の基調色への１つ又は複数の適合色が選択可能である。第２のカバー位置において、第２の基調色への１つ又は複数の適合色が選択可能である。従って、組立体は、ユーザに、単一のカバーのみを必要とする、第１の基調色及び／又は第２の基調色に適合する色を選択する比較的便利な方法を提供可能である。従って、基調色への適合色を選択するためにカバーの双方の主側面が使用可能であることが理解されるであろう。カバーが第１又は第２のカバー位置にある状態で、少なくとも１つの選択領域の前記露出が、好ましくは選択的であることが理解されるであろう。従って、カバーが第１又は第２のカバー位置にあると、カバーはいくつかの選択領域も覆うことが可能である。
【０００９】
一実施例において、組立体は、複数のカバー、例えば、２つ又は３つのカバーを含むことが可能である。前記複数のカバーのカバーは、好ましくは、相互に異なって形成した窓を有する。好ましくは、各カバーには、複数のカバーの他のカバーの基調色とは異なる２つの基調色が設けられる。好ましくは、３つの個々のカバーの第１の基調色及び第２の基調色の３つの対は共に、６つの相互に異なる基調色を形成する。従って、一実施例において、相互に異なる基調色への各適合色を選択するために、比較的少ないカバーしか必要としないことが可能である。カバーは、好ましくは、第１の主表面及び第２の主表面を有するカードとして形成する。第１の主表面及び第２の主表面は、カードの互いに反対側になる各表面にそれぞれ設けることが可能である。好ましくは、基板及びカバーは、互いに関して可動となるように設計する。
【００１０】
本発明の組立体は、例えば以下の応用例において使用可能である。
−  ファッションにおいて、基調色になっている主要な衣服に適合させるためにユーザがどの色を着用可能であるかをユーザに助言すること、すなわち、例えば最新の流行に従って、各適合色の他の衣服物品又はアクセサリーをユーザが選択するのを支援すること、
−  室内装飾において、例えば部屋の壁に、基調色として１つの色を選択したユーザに、適合色の選択肢を得るために、他の壁、家具、装飾部品などのためにどの色が使用可能であるかを助言すること、及び／又は、
−  安全性を強化すること、例えば、人物又は物体が事故でぶつかられたり衝突されたりするのを回避できるように、色のどの組み合わせが所与の環境で人物又は物体を際立たせるかをユーザに助言すること。
【００１１】
基調色は、例えば、流行色、例えば最近の流行に従った色であってよい。しかし、基調色は、代案として他の色、例えば最近の流行であることとは別の理由でユーザが好む色であってもよい。
【００１２】
好ましくは、カバーは、カバーの中心、例えば中心軸又は中心点を規定するか、又は、有し、窓の少なくとも一部はこの中心に関して非対称に位置し、そのため、第１のカバー位置において、第２のカバー位置においては露出していない少なくとも１つの選択領域、好ましくは少なくとも２つ、少なくとも３つ、少なくとも４つ、又は、少なくとも５つの選択領域が露出している。好ましくは、この中心は、第１のカバー位置及び第２のカバー位置の双方において基板に関して同様に位置している。少なくとも１つの選択領域が好ましくは第１及び第２のカバー位置の１つにおいてのみ見えている結果、適合色の少なくとも１つは、好ましくは、第１のカバー位置に比較して第２のカバー位置において異なっている。従って、適合色の少なくとも１つにおける区別は、第１の基調色の適合色を第２の基調色の適合色と比較すると実現可能である。そのため、カバーが第１のカバー位置にあると、カバーが第２のカバー位置にあるときに露出される一式の適合色とは異なる一式の適合色が露出されることが可能である。
【００１３】
１つの特定のカバー位置に対してのみ見えている選択領域の数が増えると、１つの基調色と比較して他の基調色に対する各選択色間のコントラストは強化可能であることが理解されるであろう。従って、好ましくは、カバーはカバーの中心、例えば中心軸又は中心点を規定し、窓はこの中心に関して非対称に位置しており、そのため、第２のカバー位置において露出している各選択領域は第１のカバー位置において覆われ、例えば見えない。好ましくは、この中心は、第１のカバー位置及び第２のカバー位置の双方において基板に関して同様に位置している。
【００１４】
代案として、又は、加えて、１つ又は複数の選択色は、第１のカバー位置及び第２のカバー位置の双方において見えていることが理解されるであろう。従って、好ましくは、カバーは、カバーの中心、例えば中心軸又は中心点を規定し、窓の一部はこの中心に関して実質的に対称に位置し、そのため、第１のカバー位置において、少なくとも１つの選択領域が露出し、この選択領域は第２のカバー位置においても露出している。好ましくは、この中心は、第１のカバー位置及び第２のカバー位置の双方において基板に関して同様に位置している。
【００１５】
各選択領域は、任意で、アレイ、例えば行及び／又は列に沿って配置可能である。アレイは中心軸と平行に延在可能である。奇数個のアレイが存在する場合、単一の中央アレイは、基板がカバーを保持している時に規定可能である。中央アレイは、基板がカバーを保持している時に中心軸と少なくとも部分的に一致してよい。従って、中心軸と少なくとも部分的に一致する窓部分は、カバーが第１のカバー位置にあるか第２のカバー位置にあるかに関係なく露出している中央アレイの選択領域を露出可能である。代案として、任意で、好ましくは、中心軸と位置合わせした偶数個のアレイを設けてもよい。
【００１６】
好ましくは、窓には、複数の窓部分、例えば相互に間隔を空けた副窓が設けてられてもよい。一実施例において、窓には、６つの窓部分、例えば相互に間隔を空けた副窓が設けられてもよい。このような設計は、ユーザに都合のよい数の適合色を可能にすることによって実用的に価値があると考えられる。
【００１７】
一実施例において、基板には保持手段が設けられる。好ましくは、保持手段は、カバーを、例えば中心軸に沿った方向において、第１の主表面が基板に背を向ける第１のカバー位置に向けて案内するため、及び、カバーを、例えば中心軸に沿った方向において、第２の主表面が基板に背を向ける第２のカバー位置に向けて案内するためのガイドを含む。特に、基板は、このガイドを形成する少なくとも１つの溝を設けた辺縁部を含む。
【００１８】
好ましくは、基板には、選択色及び／又は選択領域を覆う保護コーティングが設けられる。このコーティングは、基板が、カバー及び／又は他の物体との頻繁な接触に対して抵抗性を持つことを支援可能である。基板が様々なカバーとともに使用可能であるので、特に基板の耐久性が評価されるであろう。
【００１９】
一実施例において、基板の選択領域のアレイと平行な方向における基板の外部寸法は携帯電話の対応する外部寸法と実質的に同様であってよい。基板は、任意で、実質的に長方形であってよく、任意で丸まった角を備えている。基板の幅は、例えば最大１０ｃｍ、例えば約８ｃｍであってよい。前記幅の測定方向を横切る方向において測定した基板の長さは、例えば最大１４ｃｍ、例えば１１ｃｍと１２ｃｍの間であってよい。その結果、基板はユーザが比較的容易に持ち運ぶことが可能となる。他の実施例において、基板及び１つ又は複数のカバーはクレジット・カードのサイズであってもよい。
【００２０】
一実施例において、組立体は、第１及び第２のカバー位置において基板に関してカバーの正しい向きを規定するための向き決定手段を含んでよい。例えば、保持手段は、カバーを基板に保持し、それによって、第１のカバー位置及び第２のカバー位置を規定するためのスナップ式連結部を含んでよい。従って、正しい選択色の露出を促進可能となる。任意で、スナップ式連結部は、基板が含む対応する突起と協働するように設計したカバー内の空洞、例えば凹み又は穴によって形成する。代案として、又は、加えて、スナップ式連結部は、カバーが含む対応する突起と協働するように設計した基板内の空洞、例えば凹み又は穴によって形成してもよい。柔軟なプラスチック・カードとして形成したカバーは、スナップ式連結部を得るために好ましい場合がある。代案として、又は、加えて、向き決定手段として、例えばカバーの上面を示すためにカバー上に表示器を設けてよい。
【００２１】
一実施例において、基板は、基調色を設けた１つ又は複数のカバーを保管するための保管室と組み合わせることが可能である。基板は、例えば、１つ又は複数のカバーのための保管室を形成する箱状要素の前面上に設けてよい。このようにして、ユーザが基調色を備えた様々な、例えば全ての、考えられるカバーを手元に有することが可能となる。また、カバーが容易に紛失するのを回避することができる。
【００２２】
本発明の一態様によれば、本発明による組立体のカバーを組み込んだ、且つ／又は、本発明による組立体の基板を組み込んだユーザ物品、例えば衣服物品及び／又は家具物品を提供する。
【００２３】
本発明の一態様によれば、本発明による組立体のカバー及び／又は基板を設けた携帯電話を提供する。
【００２４】
本発明の一態様によれば、好ましくはユーザ物品、例えば衣服物品及び／又は家具物品の基調色への適合色を選択する方法を提供し、この方法は、−適合色を含む相互に異なる選択色を有する複数の選択領域を設けた基板を設けるステップと、−好ましくは、第１のユーザ物品の第１の基調色を設けた第１の主表面を有し、且つ、第１の主表面の反対側に、第２の主表面を有するカバーであって、さらに窓を設けたカバーを設けるステップと、−窓によって、所定の適合方法に基づき第１の基調色に適合する適合色を有する少なくとも１つの選択領域が好ましくは選択的に露出される第１のカバー位置において、基板に対してカバーを保持するステップであって、カバーが第１のカバー位置にあるとき、第１の主表面が組立体のユーザに見えるように第１の主表面は基板に背を向けている、ステップと、−窓によって、所定の適合方法に基づき好ましくは第２のユーザ物品の第２の基調色に適合する適合色を有する少なくとも１つの選択領域が好ましくは選択的に露出される第２のカバー位置において、基板に対してカバーを保持するステップであって、第２の主表面には第２の基調色を設け、カバーが第２のカバー位置にある時、第２の主表面が組立体のユーザに見えるように第２の主表面は基板に背を向けている、ステップと、を含む。
【００２５】
カバーが第１又は第２のカバー位置にある状態で、少なくとも１つの選択領域の前記露出が、好ましくは選択的であることが理解されるであろう。従って、カバーが第１又は第２のカバー位置にあると、カバーはいくつかの選択領域も覆うことが可能となる。
【００２６】
一実施例において、この方法は、−第１のユーザ物品を、所定の適合方法に基づき第１の基調色に適合する選択した適合色を有するさらなるユーザ物品、例えばさらなる衣服物品及び／又はさらなる家具物品と組み合わせるステップ、並びに／又は、−第２のユーザ物品を、所定の適合方法に基づき第２の基調色に適合する選択した適合色を有するさらなるユーザ物品、例えばさらなる衣服物品及び／又はさらなる家具物品と組み合わせるステップと、をさらに含む。
【００２７】
好ましくは、この方法は本発明による組立体によって実施する。
【００２８】
一態様について上記に開示した実施例の特徴は、１つ又は複数の他の態様について開示した実施例又は特徴と組み合わせてよい。
【００２９】
本発明を、以下の説明及び添付の図面によってさらに説明する。
【図面の簡単な説明】
【００３０】
【図１Ａ】本発明による実施例において、衣服物品の基調色への適合色を選択するための組立体の斜視図である。
【図１Ｂ】カバーを省いた図１Ａの組立体の基板を示す図である。
【図１Ｃ】図１Ａに示した断面に沿った組立体の断面図である。
【図２Ａ】４つの象限を有する色相環を示す図である。
【図２Ｂ】同系色で満たした四角形の概略図である。
【図３】衣服物品の基調色への適合色を選択するための本発明による一実施例における組立体の概略図であって、組立体のカバーを透視した図である。
【図４Ａ】本発明による組立体のさらなる実施例の断面図である。
【図４Ｂ】さらなる実施例における組立体の基板の斜視図である。
【図５Ａ】基板及びカバーを含み、カバーが溝を介して第１又は第２のカバー位置に向かって滑動しているところである、本発明による一実施例における組立体を示す図である。
【図５Ｂ】カバーが第１又は第２のカバー位置に保持された組立体を示す図である。
【図５Ｃ】図５Ａ及び５Ｂのカバーを示す図である。
【図６Ａ】第１のカバーの主側面を示す図である。
【図６Ｂ】第２のカバーの主側面を示す図である。
【図６Ｃ】第３のカバーの主側面を示す図である。
【図６Ｄ】第４のカバーの主側面を示す図である。
【発明を実施するための形態】
【００３１】
定義
本明細書で使用する場合、「窓」は、不透明なカバーにおける開口部、隙間、ガラス張りの穴などの１つ、又は２つ以上の組み合わせを意味してよい。
【００３２】
本明細書で使用する場合、「副窓」は、窓の開口部、隙間、ガラス張りの穴などの１つを意味してよい。
【００３３】
本明細書で使用する場合、「窓部分」は、窓の副窓、開口部、隙間、ガラス張りの穴などの１つ、又は全てではないが２つ以上の組み合わせを意味してよい。
【００３４】
本発明を特定の実施例に関して、且つ、特定の図面を参照して説明するが、本発明はそれらに限定されず、特許請求の範囲によってのみ限定される。説明する図面は概略的なものに過ぎず、非限定的なものである。図面では、例示の目的のために要素のいくつかの大きさを誇張し、縮尺通りには示していないことがある。寸法及び相対寸法は、本発明の実施のための実際の縮尺には必ずしも対応していない。
【００３５】
さらに、説明及び特許請求の範囲にある用語「第１」、「第２」、「第３」などは、同様の要素を区別するために使用し、必ずしも、連続的な又は時間的な順序を説明するためには使用していない。これらの用語は適切な状況下では相互に交換可能であり、本発明の実施例は本明細書に説明又は例示する順序以外の順序においても動作可能である。
【００３６】
さらに、説明及び特許請求の範囲にある用語「上部」、「底部」、「上に」、「下に」などは説明の目的のために使用し、必ずしも相対位置を説明するためには使用していない。このように使用する用語は適切な状況下では相互に交換可能であり、本明細書に説明する本発明の実施例は本明細書で説明又は例示する配向以外の配向でも動作可能である。
【００３７】
特許請求の範囲で使用する用語「含む」は、これに続いて挙げる手段に制限すると解釈するべきではない。すなわち、この用語は他の要素又はステップを排除しない。この用語は、述べた特徴、整数、ステップ、又は、構成要素の存在を参照する通りに明示すると解釈することが必要であり、１つ又は複数の他の特徴、整数、ステップ、あるいは、構成要素、又は、それらの群の存在又は追加を除外しない。従って、表現「手段Ａ及びＢを含むデバイス」の範囲は、構成要素Ａ及びＢのみからなるデバイスに限定するべきではない。この表現は、「本発明に関しては、デバイスの唯一の関連構成要素はＡ及びＢである」ことを意味する。
【００３８】
本明細書においては、衣服物品を参照して各実施例を説明する。しかし、それらの実施例は、任意で、他のユーザ物品、例えば家具物品についてもさらに全般的に適用可能である。用語「衣服物品」は、例えば、靴、ブラウス、ズボン、ネックレス、イヤリング、帽子、スカートなど、又は、それらの組み合わせを指してよい。用語「家具物品」は、例えば、ソファ、カーペット、椅子、ランプ、カーテンなど、又は、それらの組み合わせを指してよい。本発明の実施例による衣服物品及び／又は家具物品の基調色への適合色の選択は特に評価されるであろう。このような選択は、ユーザによって、比較的しばしば、例えば特定の期間中に毎週又は毎日行われるはずである。従って、衣服物品及び／又は家具物品の比較的容易な選択は特に評価されるであろう。さらに、衣服物品及び／又は家具物品のための適切な色の選択は、通常、ユーザの満足を達成するために重要である。
【００３９】
図１Ａは、本発明による一実施例において、衣服物品の基調色への適合色を選択するための組立体２の斜視図である。組立体２は、相互に異なる選択色を有する複数の選択領域５を設けた基板４を含む。選択色の中には適合色がある。組立体２は、１つ又は複数のカバー６をさらに含む。図１Ｂは、カバー６を省いた図１Ａの組立体の基板４を示す。図１Ｃは、図１Ａに示した断面Ａ−Ａ’に沿った組立体の断面図である。
【００４０】
カバー６は、第１の基調色を設けた第１の主表面８を有する。カバー６は、第１の主表面８の反対側に第２の主表面９を有する。カバー６は、カードとして形成してもよく、第１の主表面８及び第２の主表面９がカードの両側面を形成する。図１Ａの例示において、第２の主表面は基板に向き合っている。カバー６には窓１０がさらに設けられる。図１Ａ及び１Ｂに関して例示した実施例において、窓１０は、相互に間隔を空けた複数の窓部分、本明細書では副窓、この例では８つの窓部分１０．ｉ（ｉ＝１、…、８）を含む。代案として、一実施例において、窓１０は、１つ、２つ、３つ、４つ、５つ、６つ、７つ、９つ、１０個、又は、１１個以上、すなわち、少なくとも１０個の窓部分を含んでよく、この窓部分は、好ましくは、相互に間隔を空け、すなわち、好ましくは、相互に分離している。窓１０の外では、第１の主表面の一部又は全体が第１の基調色を有してよい。
【００４１】
組立体２には、カバー６を基板４に保持するための保持手段が設けられる。図１Ａ及び１Ｂに関して例示した実施例において、基板４には保持手段１２が設けられる。図１Ａは、第１のカバー位置にあるカバー６を示し、第１の主表面８は基板４に背を向けている。そのため、第１のカバー位置において、第１の主表面は組立体のユーザに見える。第２の主表面の代わりに、第１の主表面が基板と向き合うように、保持手段１２からカバー６を解放し、カバー又は保持手段を裏返し、カバーを保持手段内に戻すことによって、カバーは第２の主表面９が基板に背を向けている第２のカバー位置に設置可能である。
【００４２】
第２の主表面９には、第２の基調色が設けられる。窓１０の外側では、第２の主表面の一部又は全体が第２の基調色を有してよい。窓１０及び保持手段１２は、第２のカバー位置においてカバー６を基板に保持するように構成され、この結果、窓１０によって、所定の適合方法に基づき第２の基調色に適合する適合色を有する少なくとも１つの選択領域が露出される。第２のカバー位置において、第２の主表面は基板に背を向けており、そのため、第２の主表面は組立体のユーザに見える。各選択領域は選択的に露出していてよく、そのため、全ての選択領域が露出されるわけではないことは図１Ａから明らかであろう。従って、いくつかの選択領域は覆われていてよい。
【００４３】
保持手段１２は、例えば、カバーを、第１の主表面８が基板４に背を向けている第１のカバー位置に向けて案内するため、及び、カバーを、第２の主表面９が基板４に背を向けている第２のカバー位置に向けて案内するためのガイドを含んでよい。基板は、例えば、ガイドを形成する溝１６を設けた辺縁部１４を含む。これは、例えば図１Ｃに例示されている。従って、さらに全般的には、基板に保持手段を設けてもよい。従って、基板は、第１のカバー位置又は第２のカバー位置にカバーを保持するためのホルダとして形成してよい。
【００４４】
基板は、例えば、図１Ａから１Ｃの例に例示したように実質的に長方形形状であってよい。保持手段１２、特に溝１６は、基板４の少なくとも２つ、特に３つの側面に沿って延在してよい。従って、カバーは溝１６内に確実に保持可能となる。長方形形状の代案として、基板は、例えば、三角形形状であってもよい。さらに全般的には、基板は多角形形状であってもよい。基板は、例えば、実質的に正方形形状であってもよい。多角形形状の基板の角の１つ又は複数、例えば全ては、好ましくは丸める。好ましくは、多角形形状の基板の少なくとも１つの側面１８は保持手段を欠き、特に溝１６を欠く。従って、カバー６は、溝１６内に、この少なくとも１つの側面１８を介して滑動可能である。第１及び第２のカバー位置において、カバー６の同一の辺縁部１９は、溝１６を欠く少なくとも１つの側面１８に沿って位置付けることが可能である。
【００４５】
保持手段１２は、カバー６を第１のカバー位置において基板４に保持するように構成される。図１Ａは、第１のカバー位置の例を示す。第１のカバー位置において、窓１０によって、適合色を有する８つの選択領域５は露出される。他の実施例において、８つ未満又は９つ以上の選択領域５が露出可能であることに注意されたい。さらに全般的には、露出した選択領域５の数は、好ましくは、カバー６内の副窓の数と同じである。
【００４６】
選択領域５の適合色は、所定の適合方法に基づいて第１の基調色と適合する。様々な所定の適合方法が使用可能である。例として、図２Ａ及び２Ｂを参照して第１の所定適合方法を例示する。
【００４７】
図２Ａは、４つの象限、すなわち、第１の象限２２Ａ、第２の象限２２Ｂ、第３の象限２２Ｃ、及び、第４の象限２２Ｄを有する色相環を示す。この色相環において、各色Ｃには色番号（０１、…、３６）を割り当て可能である。第１の象限２２Ａは、赤から黄の範囲にある色Ｃ．ｉ（ｉ＝０１、…、０９）を含んでよい。色Ｃ．０１は赤に対応してよい。色Ｃ．０９は黄に対応してよい。第２の象限２２Ｂは、黄から緑の範囲にある色Ｃ．ｉ（ｉ＝１０、…、１８）を含んでよい。色Ｃ．１８は緑に対応してよい。第３の象限２２Ｃは、緑から青の範囲にある色Ｃ．ｉ（ｉ＝１９、…、２７）を含んでよい。色Ｃ．２７は青に対応してよい。第４の象限２２Ｄは、青からマゼンタの範囲にある色Ｃ．ｉ（ｉ＝２８、…、３６）を含んでよい。色Ｃ．３６はマゼンタに対応してよい。第１及び第２の象限内の色は比較的暖かい色とみなしてよい。第３及び第４の象限内の色は比較的冷たい色とみなしてよい。基調色、例えば第１の基調色及び／又は第２の基調色は、色Ｃ．ｉ（ｉ＝１、…、３６）から選択可能である。
【００４８】
色は様々な方法で表現可能である。例えば、色は色相環に沿った色角度αによって規定可能である。番号０５の色は５０度の色角度を有してよい。加えて、この色は色強度の手段及び／又は輝度レベルによって規定可能である。前記色強度は、例えば１から１００の尺度で表現可能である。例えばＨＣＬ、ＣＭＹＫ、パントーン、及びＲＧＢとして当業者に知られている方式など様々な標準化色特徴付け方式が知られていることに、さらに注意されたい。従って、色相環に沿って固定番号１…３６を有する色の表示が、色の様々な所定の適合方法を例示するための例として考えられることは明らかであろう。色相環に沿った特定の色への参照が適合方法を例示するために行われる場合、前記例示した適合方法は、例えば前記特定の色の色角度αに関して＋／−５度の範囲内である色角度を有する、その特定の色に隣接した色相環上の色に等しい基調色についても実行可能である。
【００４９】
適合色は様々な方法で基調色に組み合わせることが可能である。第１の所定の適合方法の第１の変形例において、適合色は、近似的に単色として基調色に組み合わせてよい。この組み合わせることは、基調色への１つ又は複数の適合色を選択することを含んでよく、適合色は基調色と僅かに異なっている。そのため、選択は基調色の１つ又は複数の微妙な差異を持つものを選択することを含んでよい。３６色Ｃ．ｉ（ｉ＝０１、…、３６）のそれぞれは色系統を含んでよい。この色系統は、色３６．ｉの様々な微妙に差異のある色を含んでよい。色系統内の組み合わせは、単色の組み合わせとみなしてよい。色系統は、例えば８つの微妙に差異のある色を含んでよい。図２Ｂは、同系色Ｆ．ｊ（ｊ＝１、…、８）で満たした長方形３８の概略的表示を示す。前記同系色Ｆ．ｊは基調色の微妙に差異のある色を形成し、この基調色は、例えば図２Ａに示した色相環の色Ｃ．０１に等しくてよい。基調色（例えば色Ｃ．０１に等しい基調色）への適合色（ここでは微妙に差異のある色）を選択するために、色相環において、基調色に後続する、又は、先行する色相環での色を選択可能である。従って、例えば、適合色Ｆ．ｊ（ｊ＝２９、…、３６）又はＦ．ｊ（ｊ＝２、…、９）又はＦ．ｊ（ｊ＝３３、…３５、０２、…、０６）が、色Ｃ．０１に等しい基調色に適合させるために選択可能である。代案として、又は、加えて、同系色Ｆ．ｊは、色系統内の基調色の色番号の２倍又は２分の１である色番号を有する色系統の色の中から選択可能である。代案として、又は、加えて、同系色は、基調色の色番号と合計した際に８又は８の倍数に等しい色系統の色から選択可能である。１つ又は複数の衣服物品において、所定の適合方法の第１の変形例によって基調色と組み合わせた１つ又は複数の適合色が、比較的優雅なスタイルの実現を可能とすることができることが理解されるであろう。
【００５０】
第１の所定の適合方法の第２の変形例において、適合色は近似的に類似しているとして基調色に組み合わせてよい。この類似による組み合わせは、色相環で適合色が適合する基調色の隣に位置する適合色を選択することを含んでよい。例えば、適合色Ｃ．ｊ（ｊ＝ｉ＋１）又は（ｊ＝ｉ−１）は基調色Ｃ．ｉに適合するように選択可能である。従って、適合色Ｃ．ｊは基調色Ｃ．ｉの類似色とみなしてよい。基調色の類似色、すなわち、第１の所定の適合方法の類似を用いた変形例によって得た適合色は、前記基調色の微妙に差異のある色及び／又は前記類似色の微妙に差異のある色と組み合わせてよい。１つ又は複数の衣服物品において、所定の適合方法の第２の変形例による基調色と組み合わせた１つ又は複数の適合色が、比較的高級感のある、且つ／又は、優雅なスタイルを実現可能とすることができることが理解されるであろう。
【００５１】
第１の所定の適合方法の第３の変形例において、適合色は近似的に無彩色として基調色に組み合わせてよい。この変形例において、基調色は灰色であってよく、１つ又は複数の適合色は基調色とは異なる濃淡値を有する灰色であってよい。１つ又は複数の衣服物品において、所定の適合方法の第３の変形例によって基調色と組み合わせた１つ又は複数の適合色が、比較的ビジネス向きのスタイルを実現可能とすることができることが理解されるであろう。
【００５２】
第１の所定の適合方法の第４の変形例において、適合色は近似的に補色として基調色に組み合わせてよい。従って、１つの基調色に対して１つ又は複数の適合色を選択可能であり、前記１つ又は複数の適合色は前記基調色に対して相補的なものとなる。色相環上で番号ｉを有する色Ｃにほぼ等しい基調色に対して、前記色番号ｉに数１８を加算又は減算することによって補色の選択が可能である。従って、色相環上で色番号ｉを有する基調色は、色相環上で色番号ｉ＋１８又はｉ−１８を有する補色を有してよい。この補色の少なくともいくつかの微妙に差異のある色も前記基調色に対する補色とみなしてよい。基調色に対する補色も、前記基調色の少なくともいくつかの微妙に差異のある色に対する補色とみなしてよい。基調色の補色は、前記基調色の少なくともいくつかの微妙に差異のある色及び／又は前記基調色の類似色と組み合わせてよい。好ましくは、衣服物品又は衣服物品の組み合わせの場合、２つの補色を基調色と組み合わせる。これらの補色の１つは、好ましくは、第２の補色よりも、前記衣服物品又は衣服物品の前記組み合わせの外部表面領域のかなり大きな部分にわたって延在する。１つ又は複数の衣服物品において、所定の適合方法の第４の変形例によって基調色と組み合わせた１つ又は複数の適合色が、比較的に流行に合ったスタイルを実現可能とすることができることが理解されるであろう。
【００５３】
第２の所定の適合方法において、適合色は、２色、３色、４色、５色、６色、又は、７色以上のグループを形成するために基調色と組み合わせてよい。第２の所定の適合方法の第１の変形例において、適合色は、２色又は３色のグループ又は副グループを形成するために基調色と組み合わせてよい。基調色への第１の適合色は、色相環上で基調色の色番号よりも１２大きいか、１２小さい色番号を有していてよい。加えて、第２の適合色の色番号は、第１の適合色の色番号よりも１２大きいか、１２小さいものでよい。加えて、基調色、第１の適合色、及び／又は、第２の適合色とは微妙に差異のある各微妙に差異のある色を選択可能である。好ましくは、基調色、第１の適合色、及び／又は、第２の適合色に類似した類似色は選択しない。従って、例えば、３色のグループは、０８、２０、及び、３２の色番号で得ることが可能であるか、色番号１１、２３、及び、３５を有する３色のグループであることが可能である。３つの色番号の１つのグループの１つの色番号は基調色の色番号であってよい一方、他の色番号は前記基調色への適合色の色番号であってよい。２色又は３色のグループを形成するために１つ又は複数の適合色を選択することに加えて、２色又は３色のグループ内の１つ又は複数の色に対しては、微妙に差異のある色を選択してよい。さらに多くの微妙に差異のある色を選択した場合、２色又は３色のグループは副グループとみなしてよい。
【００５４】
第２の所定の適合方法の第２の変形例において、適合色は、４色、５色、又は、６色のグループ又は副グループを形成するために基調色に組み合わせてよい。基調色への第１の適合色は、色相環上で基調色の色番号よりも６大きいか、６小さい色番号を有してよい。加えて、第２の適合色の色番号は、第１の適合色の色番号よりも６大きいか、６小さいものでよい。加えて、第３の適合色の色番号は、第２の適合色の色番号よりも６大きいか、６小さいものでよい。加えて、第４の適合色の色番号は、第３の適合色の色番号よりも６大きいか、６小さいものでよい。加えて、第５の適合色の色番号は、第４の適合色の色番号よりも６大きいか、６小さいものでよい。加えて、基調色、第１の適合色、第２の適合色、第３の適合色、第４の適合色、及び／又は、第５の適合色とは微妙に差異のある各微妙に差異のある色を選択可能である。好ましくは、基調色、第１の適合色、第２の適合色、第３の適合色、第４の適合色、及び／又は、第５の適合色に類似した類似色は選択しない。従って、４色、５色、又は、６色のグループは、例えば、少なくとも色番号０６、１２、１８、２４、並びに、任意で、さらに色番号３０及び／又は色番号３６で得ることが可能である。さらに多くの微妙に差異のある色を選択した場合、４色、５色、又は、６色のグループは副グループとみなしてよい。
【００５５】
さらなる所定の適合方法によれば、適合色は、基調色と適合色の組み合わせが容易に人目を引く組み合わせを提供することを促進するように選択してよい。これは、例えば、ユーザが自転車に乗って、又は、歩行者として交通に加わる際に、例えば、色の前記組み合わせを有する衣服のユーザの安全性を強化するために有用とすることが可能である。
【００５６】
様々な種類のカバー６が提供可能である。カバーは、例えば、柔軟でもよく、又は、固くてもよい。カバーは、例えば可塑性材料で作成してよい。カバーは比較的薄くてよい。一実施例において、カバーの厚さは基板の厚さより薄くてよい。可塑性があり、比較的薄く、且つ／又は、柔軟なカバーは、例えば衣服物品にカバーを設けた際にカバー及び衣服物品の組立体内で有用となり得る。カバーの第１の主表面は、色、例えば第２の主表面の第２の基調色とは異なる色、例えば第１の基調色を有してよい。
【００５７】
一実施例において、窓は穴によってカバーに形成可能である。窓部分は相互に離れた開口部によって形成可能である。穴、特に開口部は、例えばカバーに穿孔してよい。開口部はロゴ又はマーク、例えばカバーの提供元のロゴ又はマークを表示するために形成してよい。このようにして、ユーザはカバーをロゴ又はマークを有するブランドに関連付けることが可能である。従って、ブランドの関連付けの創出を支援可能となる。各開口部を合わせて穴を形成可能である。
【００５８】
代案として、窓はカバーの透明部分によって形成してもよい。従って、窓部分は前記透明部分の各部分によって形成可能である。代案として、窓はカバーの透明部分及びカバーの穴によって形成可能である。一実施例において、カバーは、例えば実質的にガラス及び／又は透明プラスチックで作成した透明板を含んでよい。透明板は柔軟でもよく、又は、固くてもよい。透明板には、窓を形成する１つ又は複数の隙間を設けたコーティングを設けてよい。従って、コーティングを設けていないカバー上の位置は窓を規定可能である。この位置は、好ましくは、コーティングした部分で取り囲まれている。好ましくは、カバーには、第１の主表面上に第１のコーティングが設けられ、また第２の主表面上に第２のコーティングが設けられる。双方のコーティングとも互いに同様のものであってよい。しかし、このコーティングがそれぞれ第１及び第２の基調色を規定する場合に、前記コーティングは異なった色を有してよい。特に、第１のコーティングが規定する窓は、第２のコーティングが規定する窓と同様のものであってよい。一実施例において、コーティングは除去可能である。従って、以前の窓を有する以前のコーティングは、以前の窓とは異なるその後の窓を有するその後のコーティングによって置き換え可能である。コーティングは、例えば、印刷式の手段によってカバーに適用可能である。
【００５９】
様々な種類の基板が使用可能である。基板は、例えば可塑性材料又はボール紙で実質的に作成可能である。基板の選択領域のアレイと平行な方向における基板の外部寸法は、例えば、携帯電話の対応する外部寸法と実質的に同じであってよい。一実施例において、カバー６及び／又は基板４を設けた携帯電話を提供可能である。基板６は、携帯電話の背面の外部表面と同形であってよい。従って、基板は携帯電話の背面に装着可能である。選択領域は携帯電話に背を向けてよい。そのため、選択領域は携帯電話のユーザに見えてよい。
【００６０】
選択領域は実質的に長方形又は正方形であってよい。従って、表面の比較的大きな部分を選択色が覆うことが可能となる。代案として、又は、加えて、選択領域はロゴ又はマーク、例えば基板の提供元のロゴ又はマークを表示するために形成可能である。基板の辺縁のいくつかにおいて、基板は、溝又は細穴１６を含んでよく、溝又は細穴１６の中でカバーが例えば第１のカバー位置又は第２のカバー位置に滑動可能である。カバーが溝又は細穴内を第１又は第２のカバー位置に滑動した場合、第１又は第２の基調色と適合する各適合色がユーザに見えてよい。基板には、選択色及び選択領域を覆う保護コーティングを設けてよい。
【００６１】
図３は、本発明による一実施例において、衣服物品の基調色への適合色を選択するための組立体２の概略図であり、同図は組立体のカバー６を透視したものである。組立体２は、相互に異なる選択色を有する複数の選択領域５を設けた基板４を含む。選択色の中に適合色がある。
【００６２】
組立体２は、カバー６をさらに含む。一実施例において、カバー６は実質的に長方形であってよい。基板の選択領域のアレイと平行な方向における基板６の外部寸法、例えば幅Ｗは、携帯電話の対応する外部寸法、例えば幅と実質的に同様であってよい。前記幅Ｗの測定方向を横切る方向において測定した他の寸法の長さ、例えば基板の長さＬは、例えば、携帯電話の対応する外部寸法、例えば長さと実質的に同様であってよい。そのため、基板はユーザが比較的容易に持ち歩くことが可能である。
【００６３】
カバーには、好ましくは複数の副窓、例えば開口部１０．ｉ（１、…、６）を含む窓１０を設ける。この副窓は、さらに全般的に、窓部分とみなしてよい。加えて、副窓の組み合わせは窓部分とみなしてよい。
【００６４】
カバーは、カバーの中心（ここではカバー６の中心軸４０）を規定可能である。中心軸４０は仮想のものでよい。中心軸４０は、基板４の保持手段１２に沿って延在するカバーの辺縁間に位置していてよい。従って、中心軸４０を規定可能となる。窓の少なくとも一部は中心軸４０に関して非対称に位置していてもよい。
【００６５】
図３は、カバー６の第１の主表面８が組立体のユーザに見えるように第１の主表面８が基板６に背を向けている第１のカバー位置にあるカバーを示す。第２のカバー位置において、第１の主表面の反対側に位置するカバーの第２の主表面は、カバーの第２の主表面が組立体のユーザに見えるように基板に背を向けている。
【００６６】
図３の例において、副窓１０．２、１０．３、及び、１０．６は中心軸１０．４に関して非対称に位置している。従って、カバーが第１のカバー位置に位置していると窓部分１０．２、１０．３、及び、１０．６を介して見えていた各選択領域５は、カバーが第２のカバー位置にあると見えなくなる。
【００６７】
図３の例において、副窓１０．１は中心軸４０に関して対称に位置している。従って、副窓１０．１を介して露出される選択領域は、カバーが第１又は第２のカバー位置にある時にユーザに見えている。さらに、副窓１０．４と１０．５の組み合わせは単一の窓部分とみなしてよい。この単一の窓部分は中心軸４０に関して実質的に対称に、例えば対称位置から３ミリメートル以内で、位置している。従って、単一の窓部分１０．４、１０．５を介して露出される各選択領域は、カバーが第１のカバー位置にあるか、第２のカバー位置にあるかに関係なくユーザに見えている。
【００６８】
図３に示すように、選択領域は、例えば列４４に配置可能である。第１又は第２のカバー位置において、中心軸４０は、例えば、選択領域５の中央列と部分的に一致している。列４４は中心軸と平行に延在可能である。好ましくは、中心列４４Ｃが規定可能となるように、奇数個の列を設ける。中心列は中心軸４４と部分的に一致してよい。従って、中心軸４４と少なくとも部分的に一致する窓部分１０．１は、カバーが第１のカバー位置にあるか第２のカバー位置にあるかに関係なく露出している中心列の選択領域５を露出可能である。
【００６９】
図３の例示において、基板４には保持手段１２を設ける。保持手段はガイド１６を含んでよい。ガイドは中心軸４０と位置合わせ可能である。それによって、ガイドは、第１のカバー位置に向けて、若しくは、そこから、又は、第２のカバー位置に向けて、若しくは、そこから、中心軸に沿った方向においてカバーを案内するように配置可能である。カバーには、カバーを基板に対して保持した際にカバーの所望の向きを示すための向き表示４２を設けてよい。向き表示４２は第１の主表面及び／又は第２の主表面上に設けてよい。従って、窓を介して所望しない選択領域が露出される確率を低減可能となる。代案として、又は、加えて、保持手段は、カバーを基板に保持するためのスナップ式連結部を含んでよい。このスナップ式連結部はカバー及び／又は基板によって形成してよい。
【００７０】
図４Ａは、本発明による組立体２のさらなる実施例の断面図である。図４Ｂは、さらなる実施例における組立体の基板の斜視図である。図４Ａ及び４Ｂは、参照番号５で概略を示す複数の選択領域を設けた基板４を示す。図４Ａの断面は、一点鎖線Ｂ−Ｂ’によって図４Ｂに示す。図４Ａは、第１の主表面、及び、第１の主表面の反対側に第２の主表面を有するカバー６をさらに示し、カバーにはさらに窓を設けている。図４Ａ及び４Ｂは、溝１６を有する保持手段１２も示す。保持手段１２は、第１のカバー位置又は第２のカバー位置においてカバー６を基板４に保持するように構成される。さらなる実施例において、基板４は保持手段１２と組み合わせる。さらなる実施例において、基板４は、１つ又は複数のカバー６を保管するための保管室５０と組み合わせてよい。従って、基板４には保管室５０を設けてよい。保管室は、例えば基板６の背面５２に沿って延在してよい。従って、さらに全般的に、保管室５０は、少なくとも１つの選択領域５を設けた基板の主面の反対側となる基板の主面５２に沿って延在可能である。
【００７１】
保管室は側壁５４によって形成可能である。側壁５４は基板の主面５２に沿って延在可能である。側壁５４には壁開口部５６を設けてよい。壁開口部５６は、保管室からのカバーの取出しを容易にすることが可能である。壁開口部５６は保管室５０の取入れ口及び／又は取出し口５８の近くに設けてよい。側壁５４は、少なくとも部分的に透明であってよい。従って、ユーザは保管室５０内に保管したカバーの色を比較的容易に見ることが可能となる。この少なくとも部分的に透明な側壁は、壁開口部とうまく組み合わせることが可能である。なぜなら、双方とも保管室からの所望のカバーの取出しを容易にすることが可能であるからである。壁開口部５６及び／又は透明側壁５４は、任意で、全面に適用可能である。
【００７２】
図５Ａ及び５Ｂは、本発明による一実施例において、基板４とカバー６とを含む組立体２を示す。図５Ｃは、図５Ａ及び５Ｂのカバーを示す。図５Ａは、カバー６が第１又は第２のカバー位置に向けて（図５では見えないが図１Ｃ及び４では参照番号１６を伴って見えている）溝を介して滑動しているところである組立体２を示す。図５Ｂは、カバーを第１又は第２のカバー位置に保持した組立体２を示す。図５Ａ及び５Ｂは、この例では６つの副窓を有する窓１０も示す。各副窓はロゴ又はマーク、例えばカバーの提供元のロゴ又はマークを表示するために形成可能である。同様に、選択領域５もロゴ又はマークを表示するために形成可能である。従って、さらに全般的に、副窓及び選択領域は同様の形態を有してよい。特に、副窓は、カバーが第１のカバー位置又は第２のカバー位置にあると、露出した選択領域のみが窓部分を介して見えるように形成可能である。従って、副窓の表面積は、その副窓を介して露出しているか、又は、露出されることになる選択領域の表面積以上であってよい。
【００７３】
カバー６には、透明且つ／又は開いたカバー部分５１を設けてよい。カバー部分５１は長方形であってよい。情報５３Ａは、カバーが第１又は第２のカバー位置にあるときのカバー部分５１の位置に対応する位置において基板４上に設けてよい。従って、カバー６が第１のカバー位置又は第２のカバー位置に位置するとき、基板４上に設けた情報５３Ａはカバー部分５１を介してユーザに見えていてよい。好ましくは、カバー部分５１はカバー６の中心軸に関して実質的に対称に位置している。従って、前記情報５３Ａは、カバー６が第１のカバー位置にあるとき及び第２のカバー位置にあるときに見えていてよい。代案として、カバー部分５１はカバー６の中心軸に関して実質的に非対称に位置していてもよい。基板上の情報は、例えばカバー及び基板が意図した季節及び／又は年次を含んでよい。代案として、又は、加えて、情報はロゴを含んでよい。前記季節は、例えば春／夏の季節又は秋／冬の季節などのファッションの季節であってもよい。
【００７４】
カバー部分５１の位置は、特定の情報、例えば特定の季節及び／又は特定の年次に固有のものであってよい。従って、例えば、春／夏の季節に使用することを意図したカバー６は、秋／冬の季節に使用することを意図したカバーのカバー部分５１とは異なって位置するカバー部分５１を有してよい。従って、例えば、春／夏の季節に使用することを意図したカバー６のカバー部分５１は、例えば、文面「春／夏」などを含む情報５３Ａを露出してよく、秋／冬の季節に使用することを意図したカバー６のカバー部分５１は、例えば、文面「秋／冬」などを含む情報５３Ｂを露出してよい。そのため、季節及び／又は年次が固有であるカバー６を互いに混同することを防止できる。期限切れのカバーの使用は、情報５３Ａ、５３Ｂが完全に若しくは部分的に見えないことによって、又は、ユーザが誤りであると受け取った情報の露出によって検出可能である。従って、さらに全般的に、複数のカバーを設けることが可能であり、前記カバーは、透明且つ／又は開いている相互に異なって位置するカバー部分５１を有する。カバーが第１のカバー位置及び／又は第２のカバー位置にあるとき、カバー部分５１は、選択領域５に加えて基板４上に提供した情報を露出させるためにカバー内に位置付けることが可能である。そのため、好ましくは、カバーには選択領域のない表面部分６２を設ける。表面部分６２は基板６の総表面積の少なくとも５％且つ／又は最大２５％を含んでよい。前記総表面は、任意で、原則として、その上に選択領域を設けるために利用可能である。情報５３Ａ、５３Ｂは基板４の前記表面部分６２上に設けてよい。
【００７５】
図６Ａから６Ｄは、本発明による一実施例における組立体の複数のカバー、ここでは４つのカバー６のグループを示す。カバー６には窓１０を設ける。図６Ａは、第１のカバー６の２つの主面、すなわち、第１の主面８及び第２の主面９を示す。第１の主面８には、例えば、第１の基調色として紫を設けてよい。第２の主面９には、例えば、第２の基調色としてからし色を設けてよい。
【００７６】
図６Ｂは、第２のカバー６の２つの主面、すなわち、第１の主面８及び第２の主面９を示す。第１の主面８には、例えば、第１の基調色として青ガソリン色（ｂｌｕｅ  ｐｅｔｒｏｌ）を設けてよい。第２の主面９には、例えば、第２の基調色として鉄さび色を設けてよい。図６Ｃは、第３のカバー６の２つの主面、すなわち、第１の主面８及び第２の主面９を示す。第１の主面８には、例えば、第１の基調色として青デニム色を設けてよい。第２の主面９には、例えば、第２の基調色としてローズアンティークを設けてよい。図６Ｄは、第４のカバー６の２つの主面、すなわち、第１の主面８及び第２の主面９を示す。第１の主面８には、例えば、第１の基調色として赤を設けてよい。第２の主面９には、例えば、第２の基調色としてなすび色を設けてよい。
【００７７】
上述した実施例の１つ又は複数、あるいは他の実施例において、組立体２は本発明による方法の変形例を実行するために使用可能である。前記変形例は、衣服物品の基調色への適合色を選択することを含む。変形例は、適合色を含む相互に異なる選択色を有する複数の選択領域５を設けた基板４を設けるステップを含む。変形例は、第１の衣服物品の第１の基調色を設けた第１の主面８を有し、且つ、第１の主面の反対側に、第２の主面９を有するカバー６を設けるステップをさらに含むことが可能である。カバーは衣服物品と組み合わせて設けてもよい。加えて、又は、代案として、基板は衣服物品と組み合わせて設けてもよい。カバー及び／又は基板は、例えば衣服物品に装着可能である。
【００７８】
カバーには窓をさらに設ける。変形例は、窓によって、所定の適合方法に基づき第１の基調色と適合する適合色を有する少なくとも１つ、例えば６つの選択領域が露出される第１のカバー位置において、カバーを基板に保持するステップを含んでよい。従って、所定の適合方法によって決定可能な６つの適合色が露出される。
【００７９】
第１のカバー位置において、第１の主表面は、第１の主表面が組立体のユーザに見えるように基板に背を向けている。変形例は、窓によって、所定の適合方法に基づき第２の衣服物品の第２の基調色と適合する適合色を有する少なくとも１つの選択領域が露出される第２のカバー位置において、カバーを基板に保持するステップであって、第２の主表面に第２の基調色を設ける、ステップをさらに含んでよい。第２のカバー位置において、第２の主表面は、第２の主表面が組立体のユーザに見えるように基板に背を向けている。
【００８０】
一実施例において、変形例は、第１の衣服物品を、所定の適合方法に基づき第１の基調色と適合する選択した適合色を有するさらなる衣服物品と組み合わせるステップを含んでよい。この実施例は、第２の衣服物品を、所定の適合方法に基づき第２の基調色と適合する選択した適合色を有するさらなる衣服物品に組み合わせるステップをさらに含んでよい。従って、ユーザは、ファッショナブル且つ／又は安全な衣服を選択する際に支援を受けることが可能となる。
【００８１】
従って、さらに全般的に、所定の適合方法は、例えば、適合色を、近似的に単色として、近似的に類似した色として、近似的に無彩色として、且つ／又は、近似的に補色として基調色に組み合わせるステップを含んでよいことが理解されるであろう。適合色は、例えば、２色、３色、４色、５色、６色、７色、又は、８色以上のグループを形成するために基調色と組み合わせてよい。所定の適合方法によれば、一実施例において、適合色は、基調色と適合色の組み合わせが容易に人目を引く組み合わせを提供することを促進するように選択可能である。
【００８２】
従って、本発明による一実施例における組立体が、任意で単一のカバーのみを使用することによって、異なった基調色への適合色の比較的容易な露出を可能にしつつ前記基調色への適合色を選択する便利な方法を提供可能であることが上記から明らかであろう。
【００８３】
本発明は、上述した実施例及び変形例に限定しない。さらに一般的に、第１及び第２の基調色は、いくつか、例えば６つの流行色から選択可能である。この流行色は、例えば、カバーの提供元によって決定可能である。この流行色は、例えば、年次又は季節の流行に従って決定可能である。例えば、年に２回、６つの新しい流行色を選択可能である。方法の実施例は、基調色として新しい流行色を有するカバーを製造することを含んでよい。同様に、年に２回、新しい基板を製造してよい。基板は、前記新しい流行色に対して調整した選択色の集合を有してよい。関連した年次及び季節は、カバー及び／又は基板上に表示可能である。このようにして、ユーザが時代遅れのカバーを使用する可能性は減少する。透明且つ／又は開かれたカバー部分の位置は可変である。例えば、カバー内の前記カバー部分の位置は、他の年次及び／又は季節のために意図したカバー内のカバー部分の位置に比較して、特定の年次及び／又は季節のために意図したカバーに対して異なってよい。好ましくは、少なくとも４色、例えば４色の適合色は、第１の基調色又は第２の基調色に対する微妙に差異のある色であってよい。好ましくは、第１の主表面には、適合色の種類を示す表示を設ける。従って、適合色が微妙に差異のある色であるか、補色であるか、他の種類の色であるか否かを示してよい。特定の適合色について２つ以上の種類を示してもよい。１つのカバーと組み合わせて、又は、複数のカバー、例えば３つのカバーと組み合わせて露出可能な適合色の十分に広いスペクトルを可能にするために、基板上のいくつかの選択色及び選択領域を選択可能である。カバーは、例えば、３６個の選択領域を少なくとも含んでよく、好ましくは、少なくとも５６個の選択領域を含んでよい。
【図１Ａ】
2015518573.tif 000003
【図１Ｂ】
2015518573.tif 000004
【図１Ｃ】
2015518573.tif 000005
【図２Ａ】
2015518573.tif 000006
【図２Ｂ】
2015518573.tif 000007
【図３】
2015518573.tif 000008
【図４Ａ】
2015518573.tif 000009
【図４Ｂ】
2015518573.tif 000010
【図５Ａ】
2015518573.tif 000011
【図５Ｂ】
2015518573.tif 000012
【図５Ｃ】
2015518573.tif 000013
【図６Ａ】
2015518573.tif 000014
【図６Ｂ】
2015518573.tif 000015
【図６Ｃ】
2015518573.tif 000016
【図６Ｄ】
2015518573.tif 000017
【国際調査報告】
2015518573.tif 000018
2015518573.tif 000019
2015518573.tif 000020